(57)【特許請求の範囲】
【請求項１】
顕微鏡観察に供する組織標本を作製する作製工程における、パラフィンが浸透された組織標本をパラフィン内に包埋するパラフィン包埋処理前に、脱水及び脱脂処理が施された組織標本をパラフィン溶融液に浸漬して、前記組織標本内にパラフィンを浸透処理する方法において、
該組織標本をパラフィン溶融液に浸漬して、前記組織標本の組織内に溶融パラフィンを浸透した後、前記組織標本を冷却して浸透した溶融パラフィンを固化し、
次いで、前記組織標本をパラフィン溶融液に再浸漬して、組織標本の内部に浸透している固化パラフィンを再溶融する固化・再溶融処理を、同一組織標本に対して少なくとも一回施すことを特徴とする組織標本のパラフィン浸透処理方法。
【請求項２】
組織標本に浸透した溶融パラフィンの固化を、前記組織標本をパラフィン溶融液から分離した状態で施す請求項１記載の組織標本のパラフィン浸透処理方法。
【請求項３】
組織標本に浸透した溶融パラフィンの固化を、室温以下の雰囲気温度下で施す請求項１又は請求項２記載の組織標本のパラフィン浸透処理方法。
【請求項４】
雰囲気温度を、０℃以下とする請求項３記載の組織標本のパラフィン浸透処理方法。
【請求項５】
顕微鏡観察に供する組織標本を作製する作製工程における、パラフィンが浸透された組織標本をパラフィン内に包埋するパラフィン包埋処理前に、脱水及び脱脂処理を施した組織標本をパラフィン溶融液に浸漬して、前記組織標本内にパラフィンを浸透するパラフィン浸透処理装置であって、
該組織標本をパラフィン溶融液に浸漬して、前記組織標本の組織内に溶融パラフィンを浸透する浸透処理を施す浸透処理手段と、前記浸透処理手段によって組織標本に浸透された溶融パラフィンを冷却固化処理する冷却固化処理手段とを具備し、
前記パラフィン溶融液に浸漬して溶融パラフィンが浸透されている組織標本を冷却し、組織標本の内部に浸透している溶融パラフィンを固化する冷却固化処理と、浸透された溶融パラフィンが固化された組織標本を、パラフィン溶融液に再浸漬して、組織標本の内部に浸透している固化パラフィンを再溶融する再溶融処理とを、同一組織標本に対して少なくとも一回施すように、前記浸透処理手段と冷却固化処理手段とを制御する制御部が設けられていることを特徴とする組織標本のパラフィン浸透処理装置。
【請求項６】
ジャケットが周面に設けられた処理槽と、
処理槽内に設けられた組織標本が収納されるバスケットと、
第１電磁弁を経由してジャケットに冷媒を供給する配管と、
第２電磁弁を経由してジャケットから冷媒を排出する配管と、
第３電磁弁を経由してジャケットに熱媒を供給する配管と、
第４電磁弁を経由してジャケットから熱媒を排出する配管とを具備し、
前記制御部は、第１電磁弁、第２電磁弁、第３電磁弁及び第４電磁弁を制御することでジャケットへの熱媒及び冷媒の給排を制御し、処理槽内を所望温度に制御する請求項５記載の組織標本のパラフィン浸透処理装置。
【請求項７】
組織標本に浸透された溶融パラフィンを冷却固化処理する冷却固化処理手段が、パラフィン溶融液から分離した組織標本内に浸透されている溶融パラフィンを冷却固化する冷却固化処理手段である請求項５又は請求項６記載の組織標本のパラフィン浸透処理装置。
【請求項８】
冷却固化処理手段が、溶融パラフィンの浸透している組織標本を室温以下の雰囲気温度下で冷却する冷却固化処理手段である請求項５〜請求項７のうちのいずれか１項記載の組織標本のパラフィン浸透処理装置。
【請求項９】
雰囲気温度が、０℃以下である請求項８記載の組織標本のパラフィン浸透処理装置。
【発明の詳細な説明】
【技術分野】
【０００１】
本発明は組織標本のパラフィン浸透処理方法及びその処理装置に関し、更に詳細には脱水及び脱脂処理が施された組織標本をパラフィン溶融液に浸漬して、前記組織標本内にパラフィンを浸透する組織標本のパラフィン浸透処理方法及びその処理装置に関する。
【背景技術】
【０００２】
病理検査等において顕微鏡観察に供する組織標本を作製する際には、例えば下記特許文献１にも記載されている様に、人体等から採取した組織標本をホルマリンに浸漬して固定した後、脱水、脱脂、パラフィン浸透の各処理を施し、次いで、パラフィンが浸透された組織標本をパラフィン内に包埋するパラフィン包埋処理（ブロック化）を施す。その後、パラフィン内に包埋されている組織標本を薄切して得た薄片に、所望の染色等を施して顕微鏡観察に供す。
この一連の組織標本の作製工程において、パラフィン浸透処理を施した組織標本は、その組織内に浸透した溶融パラフィンが溶融状態でパラフィン包埋処理に付せられる。
【特許文献１】特開２００１−１３３３７１号公報
【発明の開示】
【発明が解決しようとする課題】
【０００３】
かかる一連の処理において、組織標本の組織内に充分にパラフィンが浸透している場合、パラフィンに包埋されている組織標本を薄切して薄片とする際に、組織標本をスムーズに薄切でき、得られた薄片にも割れ等が存在せず、顕微鏡観察に充分に供することができる。
しかしながら、皮膚や坐骨神経等の組織標本は、従来のパラフィン浸透処理では、組織標本の組織内にパラフィンが充分に浸透し難い場合がある。この様に、パラフィンの浸透が不充分な組織標本では、パラフィンに包埋されている組織標本の薄切は困難であり、且つ得られた薄片にも割れが多く発生している。このため、かかる薄片は顕微鏡観察には供し得ないものである。
そこで、本発明の課題は、従来のパラフィン浸透処理方法では、組織標本の組織内にパラフィンを充分に浸透し難い組織標本でも、充分にパラフィンを浸透し得る組織標本のパラフィン浸透処理方法及びその処理装置を提供することにある。
【課題を解決するための手段】
【０００４】
本発明者等は、前記課題を解決すべく検討した結果、パラフィン溶融液に浸漬して溶融パラフィンを浸透した組織標本を冷却して、浸透した溶融パラフィンを固化した後、その組織標本をパラフィン溶融液に再浸漬して、浸透した固化パラフィンを再溶融する固化・再溶融処理を、溶融パラフィンを浸透した組織標本に少なくとも一回施すことによって、従来のパラフィン浸透処理方法では、組織内にパラフィンを充分に浸透し難い組織標本でも、充分にパラフィンを浸透し得ることを見出し、本発明に到達した。
すなわち、本発明は、顕微鏡観察に供する組織標本を作製する作製工程における、パラフィンが浸透された組織標本をパラフィン内に包埋するパラフィン包埋処理前に、脱水及び脱脂処理が施された組織標本をパラフィン溶融液に浸漬して、前記組織標本内にパラフィンを浸透処理する方法において、該組織標本をパラフィン溶融液に浸漬して、前記組織標本の組織内に溶融パラフィンを浸透した後、前記組織標本を冷却して浸透した溶融パラフィンを固化し、次いで、前記組織標本をパラフィン溶融液に再浸漬して、組織標本の内部に浸透している固化パラフィンを再溶融する固化・再溶融処理を、同一組織標本に対して少なくとも一回施すことを特徴とする組織標本のパラフィン浸透処理方法にある。
【０００５】
また、本発明は、顕微鏡観察に供する組織標本を作製する作製工程における、パラフィンが浸透された組織標本をパラフィン内に包埋するパラフィン包埋処理前に、脱水及び脱脂処理を施した組織標本をパラフィン溶融液に浸漬して、前記組織標本内にパラフィンを浸透するパラフィン浸透処理装置であって、該組織標本をパラフィン溶融液に浸漬して、前記組織標本の組織内に溶融パラフィンを浸透する浸透処理を施す浸透処理手段と、前記浸透処理手段によって組織標本に浸透された溶融パラフィンを冷却固化処理する冷却固化処理手段とを具備し、前記パラフィン溶融液に浸漬して溶融パラフィンが浸透されている組織標本を冷却し、組織標本の内部に浸透している溶融パラフィンを固化する冷却固化処理と、浸透された溶融パラフィンが固化された組織標本を、パラフィン溶融液に再浸漬して、組織標本の内部に浸透している固化パラフィンを再溶融する再溶融処理とを、同一組織標本に対して少なくとも一回施すように、前記浸透処理手段と冷却固化処理手段とを制御する制御部が設けられていることを特徴とする組織標本のパラフィン浸透処理装置でもある。
【０００６】
また、ジャケットが周面に設けられた処理槽と、処理槽内に設けられた組織標本が収納されるバスケットと、第１電磁弁を経由してジャケットに冷媒を供給する配管と、第２電磁弁を経由してジャケットから冷媒を排出する配管と、第３電磁弁を経由してジャケットに熱媒を供給する配管と、第４電磁弁を経由してジャケットから熱媒を排出する配管とを具備し、前記制御部は、第１電磁弁、第２電磁弁、第３電磁弁及び第４電磁弁を制御することでジャケットへの熱媒及び冷媒の給排を制御し、処理槽内を所望温度に制御することを特徴としてもよい。
かかる本発明において、組織標本に浸透した溶融パラフィンの冷却固化処理を、前記組織標本をパラフィン溶融液から分離した状態で施すことによって、組織標本の冷却固化速度を向上できる。
また、この冷却固化処理を、室温以下、特に０℃以下の雰囲気温度下で施すことによって、パラフィン浸透処理して得られた組織標本をパラフィン包埋して薄切する際に、組織標本を容易に薄切でき、顕微鏡観察に適した良好な薄片を得ることができる。
尚、本発明でいうパラフィン浸透処理には、パラフィン浸透処理工程を終了した組織標本をパラフィンに包埋してブロックを作成する包埋処理工程の処理は含まない。
【発明の効果】
【０００７】
皮膚や坐骨神経等の組織標本の場合、溶融パラフィンの浸透処理のみを組織標本に施した従来の組織標本のパラフィン浸透処理方法で処理した組織標本では、パラフィンに包埋してブロック化した組織標本の薄切が極めて困難であり、薄切して得られた薄片も顕微鏡観察用として使用できなかった。
この点、本発明によれば、皮膚や坐骨神経等の組織標本であっても、パラフィン浸透処理後の組織標本をパラフィン包埋後に薄切でき、得られた薄片を顕微鏡観察用として使用できる。
この様に、従来のパラフィン浸透処理方法では、パラフィン包埋後の薄切が困難な組織標本でも、本発明によって処理した組織標本をパラフィン包埋後に薄切できるようになった詳細な理由は不明であるが、以下のように考えられる。
皮膚や坐骨神経等の組織標本では、脂肪分が多く、通常の組織標本のパラフィン浸透処理方法で採用される脱脂処理では充分に脱脂できなかった。このことは、予め著しく長時間の脱脂処理を皮膚や坐骨神経等の組織標本に施した後、従来のパラフィン浸透処理方法で処理して得られた組織標本は薄切可能となることからも判る。
【０００８】
一方、本発明では、パラフィン溶融液に浸漬して組織内に溶融パラフィンが浸透された組織標本を冷却し、浸透した溶融パラフィンを一旦固化させた後、この組織標本をパラフィン溶融液に再浸漬して、組織標本内に浸透されている固化パラフィンを再溶融する。
この様に、組織標本に浸透されているパラフィンの固化・再溶融を、組織標本に対して少なくとも一回施すことによって、組織標本の細胞内に浸透したパラフィンは固化状態から溶融状態に変化する。その際に、細胞内のパラフィンの体積は収縮状態から膨張状態に変化し、細胞内に残留していた脂肪分を細胞外に排出でき、細胞内を充分にパラフィンに置換できる。
その結果、本発明によって処理して得られた組織標本の細胞内は、パラフィンによって充分に置換されており、脂肪分の多い皮膚や坐骨神経等の組織標本でも、パラフィンによって包埋した組織標本を薄切でき、得られた薄片の状態も良好である。
かかる本発明では、パラフィン浸透処理の前に、予め著しく長時間の脱脂処理を施すことを要しないため、組織標本の処理効率を向上できる。
【発明を実施するための最良の形態】
【０００９】
本発明に係るパラフィン浸透処理装置の一例を図１に示す。図１に示すパラフィン浸透処理装置は、ジャケット２６が周面に設けられた密閉式の処理槽１０を一個設けた１槽式処理装置である。かかる処理槽１０内には、組織標本が収納されたバスケット１２が挿入されている。
更に、処理槽１０内に挿入されたバスケット１２に収容された組織標本を処理するエタノールやキシレンは、収容部１４に収容された複数個の薬液タンク１６，１６・・に貯留されており、凝固点が６０℃近傍のパラフィン溶融液は、ヒータ付薬液タンク１８、１８内に貯留されている。
かかる薬液タンク１６，１６・・及びヒータ付薬液タンク１８、１８の各々に一端が接続された配管２２，２２・・・は選択バルブ２０に接続され、選択バルブ２０と処理槽１０とは配管２４によって接続されている。この選択バルブ２０には、複数の薬液タンク側ポートが形成された弁座２０ａと処理槽側ポートが形成された弁板２０ｂとが設けられている。この弁座２０ａの各薬液タンク側ポートには、配管２２，２２・・・の対応する他端が接続されている。
【００１０】
このため、選択バルブ２０によって、所望の薬液が貯留されているタンクと処理槽１０とを接続し、処理槽１０に所望の薬液を供給できる。一方、処理槽１０から薬液を排出する際には、処理槽１０と薬液を排出すべきタンクとを選択バルブ２０によって選択し、処理槽１０内の薬液を排出する。
また、処理槽１０の側面に設けられたジャケット２６には、配管３０ａの電磁弁３２ａを経由して冷媒を供給でき、ジャケット２６に供給された冷媒を配管３０ｂの電磁弁３２ｂを経由して排出できる。更に、処理槽１０のジャケット２６には、配管２６ａの電磁弁２８ａを経由して熱媒を供給でき、ジャケット２６に供給された熱媒を配管２６ｂの電磁弁２８ｂを経由して排出できる。
更に、かかる選択バルブ２０、電磁弁２８ａ，２８ｂ，３２ａ，３２ｂは、制御部によって制御されているため、ジャケット２６への熱媒及び冷媒の給排を制御して処理槽１０内を所望温度に制御できる。
【００１１】
図１に示すパラフィン浸透処理装置を用いて、人体等から採取した組織標本にパラフィン浸透処理を施す。このパラフィン浸透処理装置に備え付けられた薬液タンク１６，１６・・の複数槽にはエタノールを貯留する。このエタノールを貯留した複数の薬液タンク１６，１６・・の一部を、水分量が徐々に少なくなるエタノール系列としてもよい。但し、エタノールを貯留した薬液タンク１６，１６・・の残りの薬液タンク１６，１６・・には、水分量が実質的に零のエタノールを貯留する。更に、薬液タンク１６，１６・・のうち、エタノールを貯留した薬液タンク１６，１６・・を除いて残った複数槽には、キシレンを貯留する。
また、薬液タンク１６，１６・・とは別に設けられたヒータ付薬液タンク１８、１８・・には、パラフィン溶融液を貯留する。
【００１２】
採取した組織標本は、予めホルマリンに浸漬して固定した後、バスケット１２に収納して処理槽１０に挿入し、通常の処理条件で脱水処理及び脱脂処理を施す。この際に、電磁弁２８ａ，２８ｂ，３２ａ，３２ｂは閉じており、熱媒も冷媒もジャケットには供給されない。
先ず、制御部からの選択バルブ２０への信号によって、エタノールが貯留されている薬液タンク１６，１６・・のうち、選択した最初の薬液タンク１６からエタノールを処理槽１０に送液して所定時間保持して排出した後、選択した次の薬液タンク１６からエタノールを処理槽１０に送液する。この様に、エタノールを貯留した薬液タンク１６，１６・・から所望の順序でエタノールを処理槽１０に送液し、組織標本中の水分をエタノールに置換する。
更に、エタノールの処理が終了した処理槽１０内の組織標本には、制御部からの選択バルブ２０への信号によって、キシレンが貯留された薬液タンク１６，１６・・のうち、選択した最初の薬液タンク１６からキシレンを処理槽１０に送液して所定時間保持して排出した後、選択した次の薬液タンク１６からキシレンを処理槽１０に送液する。この様に、キシレンを貯留した薬液タンク１６，１６・・から所望の順序でキシレンを処理槽１０に送液し、組織標本中のエタノールをキシレンに置換する。
【００１３】
次いで、キシレンによる処理が終了した処理槽１０内の組織標本には、制御部からの選択バルブ２０への信号によって、パラフィン溶融液が貯留されたヒータ付薬液タンク１８、１８のうち、選択した最初のヒータ付薬液タンク１８からパラフィン溶融液を処理槽１０に供給し所定時間保持して排出した後、選択した次のヒータ付薬液タンク１８からパラフィン溶融液を処理槽１０に送液して、組織標本中のキシレンをパラフィン溶融液に置換する。
かかるパラフィン溶融液による処理の際には、処理槽１０内をパラフィンの凝固温度以上の温度に保持する。このため、制御部からの信号によって電磁弁２８ａ，２８ｂを開いて、熱媒をジャケットに供給してもよい。
【００１４】
この様にして、処理槽１０内の組織標本内が溶融パラフィンに置換され、パラフィン溶融液が排出された処理槽１０のジャケット２６には、制御部からの信号によって電磁弁２８ａ，２８ｂを閉じると共に、電磁弁３２ａ，３２ｂを開いて冷媒を供給し、処理槽１０を冷却する。かかる処理槽１０の冷却によって、組織標本内の溶融パラフィンが固化する。
次いで、処理槽１０のジャケット２６に、制御部からの信号によって電磁弁３２ａ，３２ｂを閉じ且つ電磁弁２８ａ，２８ｂを開いて熱媒を供給して処理槽１０を加温すると共に、ヒータ付薬液タンク１８、１８に貯留したパラフィン溶融液のうち、最後に選択したヒータ付薬液タンク１８からパラフィン溶融液を処理槽１０に再送液し、組織標本内で固化したパラフィンを再溶融する。
かかる処理槽１０の冷却及び溶融パラフィンの供給によって、組織標本に浸透したパラフィンの固化及び再溶融を少なくとも一回施すことによって、パラフィン浸透処理を終了した組織標本は、パラフィンで包埋して容易に薄切でき、得られる薄片も顕微鏡観察に供給できる良好なものである。
【００１５】
従来の如く、組織標本に浸透した溶融パラフィンの固化・再溶融を施さなった場合、パラフィン浸透処理前に、前述した様に、著しく長時間の脱脂処理等の特別な処理を施さなかった皮膚や坐骨神経等の組織標本では、パラフィン浸透処理を施して得られる組織標本を薄切しても良好な薄片を得ることが困難である。
本発明の様に、組織標本に浸透したパラフィンを固化・再溶融することによって、パラフィン浸透処理を施した組織標本を容易に薄切できるようになる理由は、パラフィンは、固化すると体積が収縮し、溶融すると体積は膨張する。このため、細胞内に浸透している溶融パラフィンを固化させた後、再溶融することによって、細胞内に残留していた脂肪分等を細胞外に排出でき、細胞内を充分にパラフィンに置換できるからであると考えられる。
【００１６】
組織標本に浸透した溶融パラフィンの冷却固化を、パラフィン溶融液に組織標本を浸漬した状態で施してもよいが、組織標本をパラフィン溶融液から分離した状態で施すことによって、組織標本の冷却固化速度を向上できる。
また、この冷却固化を、組織標本の種類等によっては、室温以下、特に０℃以下（特に好ましくは０〜−５℃）の雰囲気温度下で施すことによって、パラフィン浸透が更に促進され、得られた組織標本をパラフィン包埋して薄切する際に、組織標本を容易に薄切でき、顕微鏡観察に適した良好な薄片を得ることができる。
更に、組織標本に浸透したパラフィンの固化・再溶融は一回でもよいが、パラフィンが浸透し難い組織標本では、同一組織標本に対して二回以上繰り返すことが好ましい。
但し、この固化・再溶融の繰り返し回数を無暗に増加させても、パラフィンの浸透処理時間が長くなるものの、奏し得る効果は飽和に達する。このため、顕微鏡観察に供する組織標本に対して施す、組織標本に浸透したパラフィンの固化・再溶融の繰り返し回数は、予め実験的に求めておくことが好ましい。
パラフィンの浸透処理が終了した組織標本は、処理槽１０から取り出して、組織標本をパラフィンに包埋した後、ミクロトームによって薄切することによって、顕微鏡観察用の薄片を得ることができる。
尚、処理槽１０に収納された組織標本に各種処理を施す際に、処理速度を促進すべく、処理温度や処理圧力を変更したり、液撹拌を施してもよい。
【００１７】
以上の説明では、１槽式処理装置を用いたパラフィン浸透処理方法について説明してきたが、複数の薬液タンク及びヒータ付薬液タンクを並べ、組織標本が収納されたバスケットを、薬液タンク及びヒータ付薬液タンクの各々に順次所定時間浸漬して組織標本にパラフィン浸透処理を施してもよい。
【実施例１】
【００１８】
採取した人体の皮膚を組織標本とし、ホルマリンに浸漬して固定した。この組織標本を下記表１に示す薬液が貯留されたタンクに、表１に示す条件下で処理を施した。
表１に示すエタノール処理及びパラフィン処理では、組織標本の組織内への浸透を促進すべく、加圧状態と減圧状態とを数回繰り返した。この際の、加圧状態の圧力及び減圧状態の圧力を表１に併記した。
【表１】
0004617261.tif 000002
【００１９】
表１の処理ステップ１４を終了して溶融パラフィンが浸透された組織標本を、雰囲気温度が−５℃に保持された雰囲気中に１０分間保持し、組織標本に浸透された溶融パラフィンを固化する。
次いで、浸透されたパラフィンが固化された組織標本を、６３℃に保持されたパラフィン溶融液中に再度浸漬し、浸透されたパラフィンを再溶融する。更に、再溶融パラフィンが浸透された組織標本を、再度、−５℃の雰囲気中に１０分間保持して、再溶融パラフィンを再固化する。
この様に、組織標本内に浸透しているパラフィンの固化・再溶融の処理を、同一組織標本に対して四回繰り返した。
その後、得られた組織標本をパラフィンに包埋して得たブロックを、ミクロトームによって薄切して厚さ３μｍの薄片を得た。
得られた薄片を観察すると、組織や組織・パラフィンの境界も裂けることなく切れており、顕微鏡観察に供し得るものであった。
【実施例２】
【００２０】
実施例１において、冷却雰囲気の温度を室温（２５℃）とした他は、実施例１と同様にしてパラフィン浸透処理を施した後、得られた組織標本をパラフィンに包埋して得たブロックを、ミクロトームによって薄切した。
この薄切では、実施例１に比較して、その切易さは低下したが、厚さ３μｍの薄片を得ることができた。
また、得られた薄片を観察すると、組織とパラフィンとの境界に裂け目が存在していたが、顕微鏡観察に供し得るものであった。
【実施例３】
【００２１】
実施例１において、組織標本として、人体から採取した坐骨神経を用いた他は、実施例１と同様にしてパラフィン浸透処理を施した後、得られた組織標本をパラフィンに包埋して得たブロックを、ミクロトームによって薄切した。
この薄切では、実施例１に比較して、その切易さは低下したが、厚さ３μｍの薄片を得ることができた。
また、得られた薄片を観察すると、組織とパラフィンとの境界に裂け目が存在していたが、顕微鏡観察に供し得るものであった。
【比較例１】
【００２２】
実施例１において、組織標本内に浸透しているパラフィンの固化・再溶融の処理を施さなかった（表１の処理ステップ１４まで実施したのみ）他は、実施例１と同様にしてパラフィン浸透処理を施した後、得られた組織標本をパラフィンに包埋して得たブロックを、ミクロトームによって薄切することを試みた。
しかしながら、ミクロトームによる薄切は殆どできず、得られた薄片も、組織や組織・パラフィンの境界に裂け目が多く存在しており、顕微鏡観察に到底供し得ないものであった。
【比較例２】
【００２３】
比較例１において、組織標本として、人体から採取した坐骨神経を用いた他は、比較例１と同様にしてパラフィン浸透処理を施した後、得られた組織標本をパラフィンに包埋して得たブロックを、ミクロトームによって薄切した。
しかしながら、ミクロトームによる薄切は殆どできず、得られた薄片も、組織や組織・パラフィンの境界に裂け目が多く存在しており、顕微鏡観察に到底供し得ないものであった。
【図面の簡単な説明】
【００２４】
【図１】本発明に係る組織標本のパラフィン浸透処理装置の一例を説明する説明図である。
【符号の説明】
【００２５】
１０  処理槽
１２  バスケット
１４  収容部
１６  薬液タンク
１８  ヒータ付薬液タンク
２０  選択バルブ
２２，２４，２６ａ，２６ｂ，３０ａ，３０ｂ  配管
２６  ジャケット
２８ａ，２８ｂ，３２ａ，３２ｂ  電磁弁
【図１】
0004617261.tif 000003